【手続補正書】
【提出日】平成20年12月24日(2008.12.24)
【手続補正１】
【補正対象書類名】特許請求の範囲
【補正対象項目名】全文
【補正方法】変更
【補正の内容】
【特許請求の範囲】
【請求項１】
移動端末のユーザのための契約の透明性を高める方法であって、
移動端末において該移動端末のユーザの識別子を記憶するステップと、
前記移動端末において現在の加入者識別モジュールカード（ＳＩＭカード）の識別子又は現在用いられている論理的電話を検出するステップと、
前記ユーザの識別子と前記現在のＳＩＭカードの識別子又は前記現在用いられている論理的電話との間の関連性を指示する通信を通信サーバに送信するステップと、
を含むことを特徴とする方法。
【請求項２】
出呼の好ましいルーティングを指示するルーティングテーブルを前記通信サーバから受けて解釈するステップを更に含む、請求項１に記載の方法。
【請求項３】
前記移動端末から被呼電話番号に対する出呼を確立するための要求を受けるステップと、
前記ルーティングテーブルにより指示された好ましいルーティングに基づいて前記出呼を確立するステップと、
を更に含む、請求項２に記載の方法。
【請求項４】
デフォルトルートを介する前記呼の確立を開始するステップと、
前記デフォルトルートを介する前記呼の確立を中断するステップと、
を更に含む、請求項３に記載の方法。
【請求項５】
前記通信サーバからの前記ルーティングテーブルが、前記通信サーバを介するべき出呼に対する好ましいルーティングを指示する、請求項２から請求項４のいずれかに記載の方法。
【請求項６】
前記検出するステップが、前記現在のＳＩＭカード又は前記現在用いられている論理的電話のアクチベーションに応答して実行される、請求項１から請求項５のいずれかに記載の方法。
【請求項７】
通信に使用するために前記移動端末において２つ以上のＳＩＭカード又は論理的電話のうちの１つを選択的にアクチベートするステップであって、前記現在のＳＩＭカードが現在アクチベートされたＳＩＭカードであるステップを更に含む、請求項１から請求項６のいずれかに記載の方法。
【請求項８】
多数の選択可能なネットワークのうちのローミングのためのネットワークを選択するステップであって、この選択が、前記多数のネットワークに対して前記移動端末に記憶されたコスト情報と前記現在のＳＩＭカード又は前記現在用いられている論理的電話とに基づいているステップを更に含む、請求項１から請求項７のいずれかに記載の方法。
【請求項９】
ユーザの契約の透明性を高めるための移動端末であって、
前記移動端末のユーザの識別子を記憶するように構成された記憶手段と、
前記移動端末において現在の加入者識別モジュールカード（ＳＩＭカード）の識別子又は現在用いられている論理的電話を検出するように構成された検出手段と、
前記ユーザの識別子と前記現在のＳＩＭカードの識別子又は前記に現在用いられている論理的電話との間の関連性を指示する通信を通信サーバに送信するように構成された送出手段と、
を具備することを特徴とする移動端末。
【請求項１０】
出呼の好ましいルーティングを示すルーティングテーブルを前記通信サーバから受けて解釈するための受信手段を更に具備する、請求項９に記載の移動端末。
【請求項１１】
前記移動端末から被呼電話番号に対する出呼を確立するための要求を受けるように構成されたユーザインタフェイス手段と、
前記呼を確立するように構成された呼確立手段と、
前記ルーティングテーブルにより示された前記好ましいルーティングを介して前記出呼を確立するように前記呼確立手段に命令するように構成された処理手段と、
を更に具備する、請求項１０に記載の移動端末。
【請求項１２】
前記呼確立手段が、デフォルトルートを介する呼の確立を開始するように構成され、
前記処理手段が、更に、前記デフォルトルートを介する呼の確立を中断するように構成された、請求項１１に記載の移動端末。
【請求項１３】
前記検出手段が、前記現在のＳＩＭカード又は前記現在用いられている論理的電話のアクチベーションに応答して前記現在のＳＩＭカードの識別子又は前記現在用いられている論理的電話を検出するように構成される、請求項１０から請求項１２のいずれかに記載の移動端末。
【請求項１４】
２つ以上のＳＩＭカード又は論理的電話を受けて、通信に使用するために前記２つ以上のＳＩＭカード又は論理的電話のうちの１つを選択的にアクチベートするように構成され、
前記現在のＳＩＭカードが、現在アクチベートされたＳＩＭカードである、請求項９から請求項１３のいずれかに記載の移動端末。
【請求項１５】
多数の選択可能なネットワークのうちのローミングのためのネットワークを選択するように構成され、この選択が、前記多数のネットワークに対して前記移動端末に記憶されたコスト情報と前記現在のＳＩＭカード又は前記現在用いられている論理的電話とに基づくものである、請求項９から請求項１４のいずれかに記載の移動端末。
【請求項１６】
移動端末のユーザの契約の透明性を高めるための通信サーバにおける方法であって、
ユーザのデフォルト電話番号を記憶するステップと、
前記ユーザにより使用される移動端末から通信を受けて解釈するステップであって、該通信が前記ユーザの識別子と現在の加入者識別モジュールカード（ＳＩＭカード）の識別子又は現在用いられている論理的電話との間の関連性を指示するものである、ステップと、
前記現在のＳＩＭカード又は前記現在用いられている論理的電話に関連した電話番号を前記ユーザの現在の電話番号として記憶するステップと、
を含むことを特徴とする方法。
【請求項１７】
前記現在のＳＩＭカード又は前記現在用いられている論理的電話を用いて前記移動端末から出呼を確立するために好ましいルーティングを示すルーティングテーブルを前記現在のＳＩＭカード又は前記現在用いられている論理的電話に基づいて生成するステップと、
前記ルーティングテーブルを前記移動端末に送信するステップと、
を更に含む、請求項１６に記載の方法。
【請求項１８】
前記ルーティングテーブルが、前記ユーザの現在の電話番号が該ユーザのデフォルト電話番号と異なるときに前記通信サーバを介して出呼を確立すべきであることを示す、請求項１６又は請求項１７に記載の方法。
【請求項１９】
前記ユーザの現在の電話番号から被呼電話番号に対する出呼確立要求を受けるステップと、
前記出呼を確立するときに前記ユーザの現在の電話番号に代えて前記デフォルト電話番号を前記被呼電話番号に与えるステップと、
を更に含む、請求項１６から請求項１８のいずれかに記載の方法。
【請求項２０】
前記被呼電話番号への出呼を確立するための最低コストルーティングを決定するステップと、
前記最低コストルーティングを介して前記被呼電話番号に出呼を確立するステップと、を更に含む、請求項１９に記載の方法。
【請求項２１】
発呼電話番号から前記ユーザのデフォルト電話番号に対する入呼確立要求を受けるステップと、
前記デフォルト電話番号に代えて前記ユーザの現在の電話番号に対して前記入呼を接続すべきであることを決定するステップと、
前記ユーザの現在の電話番号に対する入呼を確立するステップと、
を更に含む、請求項１６から請求項２０のいずれかに記載の方法。
【請求項２２】
前記ユーザの現在電話番号に対する入呼を確立するための最低コストルーティングを決定するステップであって、その最低コストルーティングを介して現在の電話番号に対する入呼を確立するステップを更に含む、請求項２０に記載の方法。
【請求項２３】
前記通信サーバを介して確立される呼に関する統計値を測定及び記憶するステップを更に含む、請求項１６から請求項２２のいずれかに記載の方法。
【請求項２４】
加入者の契約の透明性を高めるための通信サーバであって、
ユーザにより使用される移動端末から通信を受けて解釈するように構成された受信手段であって、該通信が前記ユーザの識別子と現在の加入者識別モジュールカード（ＳＩＭカード）の識別子又は現在用いられている論理的電話との関連性を指示するものである、受信手段と、
前記ユーザのデフォルト電話番号を記憶し、前記現在のＳＩＭカード又は前記現在用いられている論理的電話に関連した電話番号を前記ユーザの現在の電話番号として記憶するように構成された記憶手段と、
を具備することを特徴とする通信サーバ。
【請求項２５】
前記現在のＳＩＭカード又は前記現在用いられている論理的電話を用いて前記移動端末からの出呼を確立するための好ましいルーティングを示すルーティングテーブルを、前記現在のＳＩＭカード又は前記現在用いられている論理的電話に基づいて生成するように構成された処理手段と、
前記ルーティングテーブルを前記移動端末に送信するように構成された送出手段と、
を具備する、請求項２４に記載の通信サーバ。
【請求項２６】
前記処理手段が、前記ユーザの現在の電話番号が前記ユーザのデフォルト電話番号と異なるときに、出呼を前記通信サーバを介してルーティングすべきであることを指示するルーティングテーブルを生成するように構成される、請求項２５に記載の通信サーバ。
【請求項２７】
前記ユーザの現在の電話番号から被呼電話番号に対する出呼確立要求を受け、該出呼を確立するときに前記ユーザの現在の電話番号に代えて前記デフォルト電話番号を被呼電話番号に与えるように構成された呼確立手段を更に具備する、請求項２４から請求項２６のいずれかに記載の通信サーバ。
【請求項２８】
前記処理手段が、更に、前記被呼電話番号に対する出呼を確立するための最低コストルーティングを決定し、該最低コストルーティングを介して前記被呼電話番号に対する出呼を確立するように前記確立手段に命令するよう構成される、請求項２７に記載の通信サーバ。
【請求項２９】
発呼電話番号から前記ユーザのデフォルト電話番号に対する入呼確立要求を受け、前記デフォルト電話番号ではなく前記ユーザの現在の電話番号に対する入呼を確立すべきであることを決定し、前記ユーザの現在の電話番号に対する入呼を確立するように構成された呼確立手段を更に具備する、請求項２４から請求項２６のいずれかに記載の通信サーバ。
【請求項３０】
前記処理手段が、更に、前記ユーザの現在の電話番号に対する入呼を確立するための最低コストルーティングを決定し、該最低コストルーティングを介して前記現在の電話番号に対する入呼を確立するように前記確立手段に命令するよう構成される、請求項２９に記載の通信サーバ。
【請求項３１】
前記通信サーバを介して確立された呼に関する統計値を測定及び記憶する手段を更に具備する、請求項２４から請求項３０のいずれかに記載の通信サーバ。
【請求項３２】
請求項１から請求項８、請求項１６から請求項２３のいずれかに記載の方法におけるステップを遂行するためのコンピュータにより実行可能な命令を備えたコンピュータプログラム製品。